(57)【特許請求の範囲】
【請求項１】
原稿が載置される原稿載置面を有する原稿台と、
前記原稿載置面に載置された原稿に前記原稿載置面を透過して光が照射されたときの反射光に基づいて前記原稿から画像データを読み取る画像読取手段と、
前記原稿台に対して開閉可能であり前記原稿台に対向する色基準面に前記色基準面とは異なる予め定められた濃度の部分領域が設けられたカバー部材と、
前記カバー部材の前記色基準面及び前記部分領域から前記画像読取手段により画像データを読み取る読取制御手段と、
前記読取制御手段により読み取られた色基準画像データにおける前記色基準面の濃度と前記部分領域の濃度との濃度差である第１の濃度差が予め設定された第１の閾値以下である場合に前記原稿載置面に載置された前記原稿がブック原稿であると判定する原稿判定手段と、
前記原稿判定手段により前記原稿がブック原稿であると判定された場合に、前記画像読取手段により前記原稿から読み取られた原稿画像データの中央部における特定の濃度補正範囲の濃度を、前記読取制御手段により読み取られた前記色基準面の濃度と前記カバー部材が閉じられた状態で前記画像読取手段により読み取られる前記色基準面の濃度との濃度差である第２の濃度差に基づいて補正する濃度補正手段と、
を備える画像読取装置。
【請求項２】
前記原稿判定手段が、前記第１の濃度差が前記第１の閾値以下であり、且つ前記原稿画像データに予め設定された帯状画像が存在する場合に前記原稿載置面に載置された原稿がブック原稿であると判定する請求項１に記載の画像読取装置。
【請求項３】
前記濃度補正手段が、前記原稿画像データにおける前記濃度補正範囲のうち濃度が予め設定された第２の閾値以下の画像データのみを補正する請求項１又は２に記載の画像読取装置。
【請求項４】
前記濃度補正手段が、前記濃度補正範囲の中心から離れるに従って前記第２の閾値を減少させて補正対象の画像データを判断する請求項３に記載の画像読取装置。
【請求項５】
前記濃度補正手段が、前記濃度補正範囲の濃度の補正量を前記濃度補正範囲の中心から離れるに従って減少させる請求項１〜４のいずれかに記載の画像読取装置。
【請求項６】
前記濃度補正範囲の中心を原点としたときの補正対象箇所のライン数をｎ、前記ライン数ｎの補正前の画像データをＹ（ｎ）、前記ライン数ｎの補正後の画像データをＹ（ｎ’）、前記第２の濃度差をＡ、前記濃度補正範囲に含まれる総ライン数をＮとしたとき、
前記濃度補正手段が、下記（１）式又は下記（１１）式に従って前記原稿画像データを補正する請求項５に記載の画像読取装置。
Ｙ（ｎ’）＝Ｙ（ｎ）−Ａ×（Ｎ−｜ｎ｜）／Ｎ  ・・・（１）
Ｙ（ｎ’）＝Ｙ（ｎ）＋Ａ×（Ｎ−｜ｎ｜）／Ｎ  ・・・（１１）
【請求項７】
前記濃度補正手段が、前記第１の濃度差又は前記第２の濃度差に基づいて前記濃度補正範囲を変更する請求項１〜６のいずれかに記載の画像読取装置。
【請求項８】
原稿を前記画像読取手段による画像データの読取位置を通過させて搬送すると共に前記カバー部材を兼ねる原稿搬送部を備え、
前記原稿台が、前記原稿搬送部により搬送される原稿に対して前記画像読取手段から照射される光を透過する搬送読取面を有し、
前記色基準面及び前記部分領域が、前記搬送読取面に対向する位置に設けられた請求項１〜７のいずれかに記載の画像読取装置。
【請求項９】
前記読取制御手段により読み取られた前記色基準面の濃度と前記カバー部材が閉じられた状態で前記画像読取手段により読み取られる前記色基準面の濃度との濃度差である第２の濃度差に基づいて前記原稿の中央部における浮き上がりの高さを推定する高さ推定手段と、
前記原稿判定手段により前記原稿がブック原稿であると判定された場合に、前記画像読取手段により前記原稿から読み取られた原稿画像データの中央部における特定の拡大補正対象の画像を、前記高さ推定手段により推定された高さに基づく拡大率で拡大させる拡大補正手段と、
を更に備える請求項１〜８のいずれかに記載の画像読取装置。
【請求項１０】
前記拡大補正手段が、前記原稿の見開きページの長さと前記原稿載置面に載置された前記原稿の見開きページにおける前記画像読取手段による読取対象の長さとの差分を取得する差分取得手段と、前記高さ推定手段により推定された高さ及び前記差分取得手段により取得された差分に基づいて前記拡大率を設定する拡大率設定手段と、を含む請求項９に記載の画像読取装置。
【請求項１１】
請求項１〜１０のいずれかに記載の画像読取装置と、前記画像読取装置により読み取られた画像データに基づいて画像を形成する画像形成手段と、を備える画像形成装置。
【請求項１２】
原稿が載置される原稿載置面を有する原稿台と、前記原稿載置面に載置された原稿に前記原稿載置面を透過して光が照射されたときの反射光に基づいて前記原稿から画像データを読み取る画像読取手段と、前記原稿台に対して開閉可能であり前記原稿台に対向する色基準面に前記色基準面とは異なる予め定められた濃度の部分領域が設けられたカバー部材と、を備える画像読取装置において実行される画像読取方法であって、
前記カバー部材の前記色基準面及び前記部分領域から前記画像読取手段により画像データを読み取る読取制御ステップと、
前記読取制御ステップにより読み取られた色基準画像データにおける前記色基準面の濃度と前記部分領域の濃度との濃度差である第１の濃度差が予め設定された第１の閾値以下である場合に前記原稿載置面に載置された前記原稿がブック原稿であると判定する原稿判定ステップと、
前記原稿判定ステップにより前記原稿がブック原稿であると判定された場合に、前記画像読取手段により前記原稿から読み取られた原稿画像データの中央部における特定の濃度補正範囲の濃度を、前記読取制御ステップにより読み取られた前記色基準面の濃度と前記カバー部材が閉じられた状態で前記画像読取手段により読み取られる前記色基準面の濃度との濃度差である第２の濃度差に基づいて補正する濃度補正ステップと、
を含む画像読取方法。
【発明の詳細な説明】
【技術分野】
【０００１】
本発明は、原稿台に載置された原稿から画像データを読み取る画像読取装置に関する。
【背景技術】
【０００２】
一般に、原稿台に載置された原稿に下方から光を照射したときの反射光をＣＣＤ等の光電変換素子で受光することにより原稿から画像データを読み取る画像読取装置が知られている。この種の画像読取装置を用いて、複数枚の用紙が中央で綴じられた本などの厚みのある原稿（以下「ブック原稿」という）から画像データを読み取る際には、原稿台とブック原稿の中央部との間に隙間が生じる。そのため、ブック原稿の中央部からの反射光の光量が減少し、画像読取装置で読み取られた画像データではブック原稿の中央部に黒色の帯状画像が現れる。これに対し、原稿台に載置されたブック原稿の中央部の高さを検出する特別なセンサーを備え、前記センサーの検出結果に応じて画像データにおける黒色の帯状画像を白色の画像に変換する画像処理装置が知られている（例えば特許文献１参照）。
【先行技術文献】
【特許文献】
【０００３】
【特許文献１】特開２００５−２４４８２５号公報
【発明の概要】
【発明が解決しようとする課題】
【０００４】
しかしながら、前述の技術では、原稿台に載置されたブック原稿の中央部の高さを検出する特別なセンサーを新たに設ける必要があるため、部品点数及びコストの増加が問題になる。
【０００５】
本発明の目的は、ブック原稿の中央部の高さを検出する特別なセンサーを用いることなく、ブック原稿から読み取られる原稿画像データに生じる帯状画像の濃度を抑制することのできる画像読取装置、画像形成装置、及び画像読取方法を提供することにある。
【課題を解決するための手段】
【０００６】
本発明の一の局面に係る画像読取装置は、原稿台、画像読取手段、カバー部材、読取制御手段、原稿判定手段、及び濃度補正手段を備える。前記原稿台は、原稿が載置される原稿載置面を有する。前記画像読取手段は、前記原稿載置面に載置された原稿に前記原稿載置面を透過して光が照射されたときの反射光に基づいて前記原稿から画像データを読み取る。前記カバー部材には、前記原稿台に対して開閉可能であり前記原稿台に対向する色基準面に前記色基準面とは異なる予め定められた濃度の部分領域が設けられている。前記読取制御手段は、前記カバー部材の前記色基準面及び前記部分領域から前記画像読取手段により画像データを読み取る。前記原稿判定手段は、前記読取制御手段により読み取られた色基準画像データにおける前記色基準面の濃度と前記部分領域の濃度との濃度差である第１の濃度差が予め設定された第１の閾値以下である場合に前記原稿載置面に載置された前記原稿がブック原稿であると判定する。前記濃度補正手段は、前記原稿判定手段により前記原稿がブック原稿であると判定された場合に、前記画像読取手段により前記原稿から読み取られた原稿画像データの中央部における特定の濃度補正範囲の濃度を、前記読取制御手段により読み取られた前記色基準面の濃度と前記カバー部材が閉じられた状態で前記画像読取手段により読み取られる前記色基準面の濃度との濃度差である第２の濃度に基づいて補正する。
【０００７】
本発明の他の局面に係る画像形成装置は、前記画像読取装置と前記画像読取装置により読み取られた画像データに基づいて画像を形成する画像形成部とを備える。
【０００８】
本発明の他の局面に係る画像読取装置は、原稿台、画像読取手段、及びカバー部材を備える画像読取装置置において読取制御ステップ、原稿判定ステップ、及び濃度補正ステップを実行する画像読取方法である。前記原稿台は、原稿が載置される原稿載置面を有する。前記画像読取手段は、前記原稿載置面に載置された原稿に前記原稿載置面を透過して光が照射されたときの反射光に基づいて前記原稿から画像データを読み取る。前記カバー部材には、前記原稿台に対して開閉可能であり前記原稿台に対向する色基準面に前記色基準面とは異なる予め定められた濃度の部分領域が設けられている。前記読取制御ステップは、前記カバー部材の前記色基準面及び前記部分領域から前記画像読取手段により画像データを読み取る。前記原稿判定ステップは、前記読取制御ステップにより読み取られた色基準画像データにおける前記色基準面の濃度と前記部分領域の濃度との濃度差である第１の濃度差が予め設定された第１の閾値以下である場合に前記原稿載置面に載置された前記原稿がブック原稿であると判定する。前記濃度補正ステップは、前記原稿判定ステップにより前記原稿がブック原稿であると判定された場合に、前記画像読取手段により前記原稿から読み取られた原稿画像データの中央部における特定の濃度補正範囲の濃度を、前記読取制御ステップにより読み取られた前記色基準面の濃度と前記カバー部材が閉じられた状態で前記画像読取手段により読み取られる前記色基準面の濃度との濃度差である第２の濃度に基づいて補正する。
【発明の効果】
【０００９】
本発明によれば、ブック原稿の中央部の高さを検出する特別なセンサーを用いることなく、ブック原稿から読み取られる原稿画像データに生じる帯状画像の濃度を抑制することができる。
【図面の簡単な説明】
【００１０】
【図１】本発明の実施の形態に係る複合機の構成図。
【図２】図１に示された複合機が備えるＡＤＦの要部を示す模式図。
【図３】図１に示された複合機で読み取られた原稿画像データの一例を示す図。
【図４】図１に示された複合機で実行される画像読取処理の手順の一例を示すフローチャート。
【図５】図１に示された複合機における部分領域の濃度の読取結果の一例を示す図。
【図６】図１に示された複合機で実行される画像読取処理の実行結果の一例を示す図。
【図７】図１に示された複合機で実行されるブック原稿用の画像処理の手順の一例を示すフローチャート。
【図８】図１に示された複合機におけるブック原稿の読取状態の一例を示す模式図。
【図９】図１に示された複合機で実行されるブック原稿用の画像処理の結果の一例を示す図。
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１２】
＜複合機１０の概略構成＞
まず、図１を参照しつつ、本発明の実施の形態に係る複合機１０の概略構成について説明する。なお、図１（Ａ）は、前記複合機１０の模式断面図、図１（Ｂ）は、図１（Ａ）におけるＣ−Ｃ矢視図である。
【００１３】
前記複合機１０は、画像読取部１、ＡＤＦ２、画像形成部３、給紙カセット４、制御部５、及び操作表示部６などを備える画像形成装置である。前記操作表示部６は、前記制御部５からの制御指示に従って各種の情報を表示し、前記制御部５に対して各種の情報を入力するタッチパネルなどである。なお、前記複合機１０において、前記画像読取部１、前記ＡＤＦ２及び前記制御部５が本発明に係る画像読取装置を構成する。また、本発明は、スキャナー、ファクシミリ装置、及びコピー機などの画像読取装置又は画像形成装置に適用可能である。
【００１４】
前記制御部５は、ＣＰＵ、ＲＯＭ、ＲＡＭ、ＥＥＰＲＯＭなどの制御機器を有するコンピューターである。そして、前記制御部５は、前記ＲＯＭに予め記憶された各種の制御プログラムを前記ＣＰＵで実行することにより前記複合機１０を統括的に制御する。また、前記ＲＡＭは揮発性の記憶手段、前記ＥＥＰＲＯＭは不揮発性の記憶手段であって、前記ＣＰＵが実行する各種の処理の一時記憶メモリ又は画像メモリとして使用される。なお、前記制御部５は、集積回路（ＡＳＩＣ、ＤＳＰ）などの電子回路で構成されたものであってもよく、前記複合機１０を統括的に制御するメイン制御部と別に設けられた制御部であってもよい。
【００１５】
また、前記制御部５の前記ＲＯＭには、前記制御部５の前記ＣＰＵに後述の画像読取処理（図４のフローチャート参照）を実行させるための画像読取プログラムが予め記憶されている。なお、前記画像読取プログラムは、ＣＤ、ＤＶＤ、フラッシュメモリなどのコンピューター読み取り可能な記録媒体に記録されており、前記記録媒体から前記制御部５の前記ＥＥＰＲＯＭ又は不図示のハードディスクなどの記憶手段にインストールされてもよい。本発明は、前記複合機１０において前記画像読取処理の各処理手順を実行する方法、前記制御部５に前記画像読取処理の各処理手順を実行させるための画像読取プログラム、又は前記画像読取プログラムを記録したコンピューター読み取り可能な記録媒体として捉えてもよい。
【００１６】
前記画像読取部１は、原稿台１１、読取ユニット１２、ミラー１３、１４、光学レンズ１５、ＣＣＤ（Charge  Coupled  Device）１６、及びサイズ検出部１７などを備える画像読取手段である。
【００１７】
前記原稿台１１は、前記画像読取部１の上面に設けられており、原稿載置面１１１及び搬送読取面１１２を有している。前記原稿載置面１１１は、画像データの読取対象となる原稿が載置される透光性を有するコンタクトガラスである。前記搬送読取面１１２は、前記ＡＤＦ２により搬送される原稿に対して前記読取ユニット１２から照射される光を透過する搬送読取用ガラスである。
【００１８】
前記読取ユニット１２は、ＬＥＤ光源１２１及びミラー１２２を備えており、ステッピングモーター等の駆動手段を用いた不図示の移動機構によって副走査方向７１（図１（Ａ）における左右方向）へ移動可能に構成されている。そして、前記駆動手段により前記読取ユニット１２が前記副走査方向７１に移動されると、前記ＬＥＤ光源１２１から前記原稿台１１上に照射される光が前記副走査方向７１に走査される。
【００１９】
前記ＬＥＤ光源１２１は、主走査方向７２（図１（Ａ）における奥行き方向）に沿って配列された多数の白色ＬＥＤを備えている。そして、前記ＬＥＤ光源１２１は、前記原稿台１１の前記原稿載置面１１１又は前記搬送読取面１１２を透過させて原稿に前記主走査方向７２の１ライン分の白色光を照射する。前記ＬＥＤ光源１２１による光の照射位置が前記画像読取部１による画像データの読取位置であり、前記読取位置は前記読取ユニット１２の前記副走査方向７１の移動に伴って前記副走査方向７１に移動する。具体的に、前記読取ユニット１２は、前記原稿載置面１１１に載置された原稿から画像データを読み取る際には前記ＬＥＤ光源１２１の光が前記原稿載置面１１１を通過する位置に移動される。また、前記ＡＤＦ２によって搬送される原稿から画像データを読み取る際には、前記読取ユニット１２は前記ＬＥＤ光源１２１の光が前記搬送読取面１１２を通過する位置に移動される。
【００２０】
前記ミラー１２２は、前記ＬＥＤ光源１２１から前記読取位置にある原稿に光が照射されたときの反射光を前記ミラー１３に向けて反射させる。そして、前記ミラー１２２で反射した光は、前記ミラー１３及び前記ミラー１４によって前記光学レンズ１５に導かれる。前記光学レンズ１５は、入射した光を集光して前記ＣＣＤ１６に入射させる。
【００２１】
前記ＣＣＤ１６は、受光した光をその光量に応じた電気信号（電圧）に変換し、画像データとして出力する光電変換素子である。そして、前記ＣＣＤ１６は、前記ＬＥＤ光源１２１から光が照射されたときに前記原稿から反射して入射する反射光に基づく電気信号を前記原稿の画像データとして前記制御部５に入力する。このように、前記画像読取部１では、前記原稿載置面１１１に載置された原稿に前記原稿載置面１１１を透過して光が照射されたときの反射光、又は前記ＡＤＦ２で搬送される原稿に前記搬送読取面１１２を透過して光が照射されたときの反射光に基づいて前記原稿から画像データが読み取られる。
【００２２】
また、前記サイズ検出部１７は、図１（Ｂ）に示すように、前記原稿載置面１１１の下方に設けられた複数の光学センサー１７１〜１７６を備えている。前記光学センサー１７１〜１７６は、前記原稿載置面１１１に載置された原稿の前記副走査方向７１の長さ（以下、「用紙長さ」という）を検出するために設けられた反射式の光学センサーである。具体的に、前記光学センサー１７１〜１７６は、Ｂ５縦、Ａ４縦、Ｂ５横、Ａ４横、Ｂ４横、Ａ３横のサイズに対応する前記副走査方向７１の位置に配置されており、それぞれの位置において原稿の有無を検出する。前記サイズ検出部１７による検出結果は前記制御部５に入力される。これにより、前記制御部５は、前記サイズ検出部１７による検出結果に基づいて、前記原稿載置面１１１に載置された原稿の用紙長さを検出することが可能である。なお、前記制御部５が、前記画像読取部１で読み取られる原稿の画像データに基づいて前記原稿の用紙長さを判別することも考えられる。また、前記制御部５は、前記画像読取部１で読み取る原稿のサイズを、前記操作表示部６に対して予め行われるユーザー操作に応じて設定することも可能である。
【００２３】
さらに、前記制御部５は、前記原稿載置面１１１に載置された原稿の前記主走査方向７２の幅（以下、「用紙幅」という）を検出する機能を備えている。例えば、前記制御部５は、前記原稿載置面１１１上の読取開始位置で前記ＬＥＤ光源１２１を点灯させたときに前記ＣＣＤ１６に入射する光に基づいて前記原稿載置面１１１に載置された原稿の前記主走査方向７２の幅を検出する。なお、複数の原稿サイズの用紙幅に対応する前記主走査方向７２の位置にそれぞれ光学センサーが設けられており、前記制御部５が前記光学センサーの検出結果に応じて前記原稿の用紙幅を判別することも考えられる。
【００２４】
前記画像形成部３は、前記画像読取部１で読み取られた画像データ、又は外部のパーソナルコンピューター等の情報処理装置から入力された画像データに基づいて画像形成処理（印刷処理）を実行する電子写真方式の画像形成手段である。
【００２５】
具体的に、前記画像形成部３は、感光体ドラム３１、帯電装置３２、露光装置（ＬＳＵ）３３、現像装置３４、転写ローラー３５、除電装置３６、定着ローラー３７、及び加圧ローラー３８などを備えている。そして、前記画像形成部３では、前記給紙カセット４から供給される用紙に以下の手順で画像が形成される。
【００２６】
まず、前記帯電装置３２によって前記感光体ドラム３１が所定の電位に一様に帯電される。次に、前記露光装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によってトナー像として現像（可視像化）される。なお、前記現像装置３４には、前記画像形成部３に着脱可能なトナーコンテナ３４Ａからトナー（現像剤）が補給される。続いて、前記感光体ドラム３１に形成されたトナー像は前記転写ローラー３５によって用紙に転写される。その後、用紙に転写されたトナー像は、その用紙が前記定着ローラー３７及び前記加圧ローラー３８の間を通過する際に前記定着ローラー３７で加熱されて溶融定着する。なお、前記感光体ドラム３１の電位は前記除電装置３６で除電される。
【００２７】
次に、図１及び図２を参照しつつ前記ＡＤＦ２について説明する。なお、図２は、前記ＡＤＦ２を簡略化した要部模式図である。
【００２８】
図１に示すように、前記ＡＤＦ２は、原稿セット部２１、複数の搬送ローラー２２、原稿押さえ２３、及び排紙部２４などを備える原稿搬送部である。前記原稿押さえ２３は、前記搬送読取面１１２の上方に原稿が通過できる間隔を隔てた位置に設けられている。
【００２９】
そして、前記ＡＤＦ２は、前記搬送ローラー２２各々が不図示のモーターで駆動されることにより、前記原稿セット部２１の原稿を前記画像読取部１による画像データの読取位置を通過させて前記排紙部２４まで搬送する。より具体的に、前記ＡＤＦ２では、図２に示すように、前記原稿セット部２１の原稿が前記原稿押さえ２３に隣接した開口２３Ａを経て前記原稿押さえ２３及び前記搬送読取面１１２の間に搬送される。その後、前記原稿は、前記原稿押さえ２３に隣接した開口２３Ｂを経て前記排紙部２４に搬送される。これにより、前記画像読取部１では、前記ＡＤＦ２により搬送される原稿に前記読取ユニット１２から前記搬送読取面１１２を透過して光を照射することにより前記原稿から画像データを読み取ることが可能である。
【００３０】
また、図２に示すように、前記ＡＤＦ２は、前記原稿台１１の前記原稿載置面１１１及び前記搬送読取面１１２に対して開閉可能に支持されており、前記原稿台１１のカバー部材を兼ねている。そして、前記ＡＤＦ２の下面には、前記原稿台１１の前記原稿載置面１１１に対向する色基準面２５と、前記原稿台１１の前記搬送読取面１１２に対向する色基準面２６とが設けられている。
【００３１】
前記色基準面２５は、前記原稿載置面１１１に載置された原稿から前記画像読取部１で画像データを読み取る際に、例えば原稿の境界を判定するために用いられる白色面である。前記色基準面２６は、前記原稿押さえ２３の下面であり、前記搬送読取面１１２に搬送される原稿から前記画像読取部１で画像データを読み取る際に、例えば原稿の境界を判定するために用いられる白色面である。また、前記制御部５は、例えば前記色基準面２５から読み取られる白色画像データに基づいてシェーディング補正又はガンマ補正などの各種の画像処理を実行する。
【００３２】
そして、前記色基準面２６には、前記色基準面２６の下地色である白色とは異なる予め定められた黒色の部分領域２７が設けられている。前記部分領域２７の形状は、例えば図２に示すように矩形である。なお、前記部分領域２７の形状は、例えば円形又はラインであってもよい。また、前記部分領域２７は、高濃度である黒色に限らず、前記色基準面２６の下地色と異なる灰色などの予め定められた濃度の着色領域であってもよい。具体的に、前記部分領域２７には、前記色基準面２６から読み取られる画像データにおいて前記色基準面２６の下地色と前記部分領域２７との濃度差が前記ＡＤＦ２の開閉の程度に応じて変化するように予め定められた着色が施されていればよい。
【００３３】
また、前記部分領域２７は、前記ＡＤＦ２により搬送可能な原稿の最小サイズの範囲内に対応する位置に設けられている。具体的に、前記ＡＤＦ２が原稿を中央寄せで搬送する構成である場合、前記部分領域２７は、図２に示すように前記ＡＤＦ２により搬送される原稿の用紙幅方向の中央部に対応する位置に配置される。これにより、前記ＡＤＦ２を用いて原稿から画像データが読み取られる際、前記部分領域２７が原稿で隠れるため、前記部分領域２７が前記原稿の画像データとして読み取られない。なお、前記ＡＤＦ２が原稿を上端寄せ又は下端寄せで搬送する構成では、前記部分領域２７が前記ＡＤＦ２により搬送される原稿の用紙幅方向の上端又は下端に対応する位置に配置される。
【００３４】
また、前記複合機１０では、前記色基準面２６に前記部分領域２７が設けられているため、前記原稿台１１の裏面における前記原稿載置面１１１及び前記搬送読取面１１２の間の領域に、白色基準データの読み取りに用いられる白色面が設けられる。これにより、前記制御部５は、前記搬送読取面１１２に搬送される原稿から前記画像読取部１で画像データを読み取る際には、前記白色面から読み取った白色画像データに基づいてシェーディング補正又はガンマ補正などの各種の画像処理を実行することが可能である。もちろん、前記色基準面２６において、前記ＡＤＦ２により搬送可能な原稿の最大サイズの範囲外の位置であって前記画像読取部１で読み取り可能な位置に、前記部分領域２７が設けられていてもよい。この場合、前記制御部５は、例えば前記色基準面２６から読み取られる白色画像データに基づいてシェーディング補正又はガンマ補正などの各種の画像処理を実行することが可能である。
【００３５】
なお、前記実施の形態では、前記部分領域２７が前記搬送読取面１１２に対向する前記色基準面２６に設けられている場合を例に挙げて説明する。一方、前記部分領域２７は、前記原稿載置面１１１に対向する前記色基準面２５に設けられていることも他の実施形態として考えられる。この場合、前記部分領域２７は、前記原稿載置面１１１を使用して読み取り可能なサイズとして予め定められた原稿の最大サイズの範囲外の位置であって前記画像読取部１で読み取り可能な位置に設けられる。また、この場合、前記複合機１０が、前記ＡＤＦ２に代えて、前記原稿載置面１１１に対して開閉可能なカバー部材を備え、前記カバー部材に前記色基準面２５及び前記部分領域２７が設けられる構成も考えられる。
【００３６】
ところで、前記複合機１０では、図２に示すように、複数枚の用紙が中央で綴じられた本などの厚みのあるブック原稿Ｐ１から画像データを読み取る際には、前記原稿載置面１１１に載置された前記ブック原稿Ｐ１の中央部Ｐ２に浮き上がりが生じる。この場合、図３に示すように、前記画像読取部１によって前記ブック原稿Ｐ１から読み取られた原稿画像データＲ１では、前記ブック原稿Ｐ１の前記中央部Ｐ２に黒色の帯状画像Ｒ２が現れる。また、図３に示すように、前記原稿画像データＲ１では、前記中央部Ｐ２に位置する文字画像Ｒ３が前記副走査方向７１に縮小されている。
【００３７】
そこで、前記複合機１０では、前記制御部５により、後述の画像読取処理（図４参照）が実行される。これにより、前記複合機１０では、前記原稿載置面１１１に載置された原稿がブック原稿である場合に、前記ブック原稿から読み取られた原稿画像データの中央部に生じる黒色の帯状画像の濃度が抑制される。また、前記画像読取処理では、前記制御部５により、前記ブック原稿から読み取られた原稿画像データの中央部における画像の歪みが抑制される。
【００３８】
＜画像読取処理＞
以下、図４を参照しつつ、前記制御部５によって実行される画像読取処理の手順の一例について説明する。ここに、ステップＳ１、Ｓ２、・・・は前記制御部５により実行される処理手順（ステップ）の識別番号を表している。
【００３９】
当該画像読取処理は、前記原稿載置面１１１上に原稿が載置された状態で、前記操作表示部６に対する画像読取開始操作が行われた場合、又はパソコンなどの情報処理装置から画像読取開始要求を受信した場合に前記制御部５によって実行される。なお、前記ＡＤＦ２を用いた画像読取処理については従来と同様であるため説明を省略する。
【００４０】
［ステップＳ１］
まず、ステップＳ１において、前記制御部５は、前記画像読取部１により前記搬送読取面１１２に対向する前記色基準面２６から画像データを読み取る画像読取処理を実行する。前記色基準面２６から読み取られる画像データには、前記色基準面２６の下地の画像データ及び前記部分領域２７の画像データが含まれる。ここに、前記ステップＳ１が読取制御ステップに相当し、前記ステップＳ１を実行するときの前記制御部５が読取制御手段に相当する。
【００４１】
具体的に、前記制御部５は、前記画像読取部１の読取位置が前記搬送読取面１１２に位置するように前記読取ユニット１２を移動させる。なお、前記読取ユニット１２の待機位置（ホームポジション）が、前記搬送読取面１１２から画像データを読取可能な位置である場合、前記制御部５は前記読取ユニット１２を移動させる必要はない。そして、前記制御部５は、前記読取ユニット１２から前記色基準面２６に光を照射させることにより前記色基準面２６から画像データを読み取る。このとき、前記画像読取部１は、例えば前記色基準面２６の前記主走査方向７２の１ライン分の画像データを読み取る。以下、前記色基準面２６から読み取られる画像データを色基準画像データと称する。
【００４２】
［ステップＳ２］
前記ステップＳ１の画像読取処理が終了すると、続くステップＳ２において、前記制御部５は、前記画像読取部１により前記原稿載置面１１１に載置された原稿から画像データを読み取る画像読取処理を開始する。
【００４３】
具体的に、前記制御部５は、前記画像読取部１の読取位置が前記原稿載置面１１１の読取開始位置に位置するように前記読取ユニット１２を移動させる。そして、前記制御部５は、前記読取ユニット１２を前記副走査方向７１に移動させつつ前記読取ユニット１２から前記原稿載置面１１１に載置された原稿に光を照射させることにより前記原稿から画像データを読み取る。以下、前記原稿から読み取られる画像データを原稿画像データと称する。
【００４４】
［ステップＳ３］
次に、ステップＳ３において、前記制御部５は、前記ステップＳ１で読み取られた前記色基準画像データに前記部分領域２７が存在するか否かを判断する。具体的に、前記ＡＤＦ２が開放された状態では、前記読取ユニット１２から照射された光が前記色基準面２６で反射しないため、前記色基準画像データは概ね均一な黒色画像となり、最高濃度及び最低濃度の濃度差が小さくなる。そこで、前記制御部５は、前記色基準画像データの最高濃度及び最低濃度の濃度差が予め設定された下限値以上である場合に、前記部分領域２７が存在すると判定する。即ち、前記ステップＳ３では、前記部分領域２７の存在の有無に応じて前記ＡＤＦ２が開放されているか否かが判断される。
【００４５】
前記ステップＳ３において、前記部分領域２７が存在すると判断すると（Ｓ３のＹｅｓ側）、前記制御部５は処理をステップＳ４に移行させる。一方、前記ステップＳ３において、前記部分領域２７が存在しないと判断すると（Ｓ３のＮｏ側）、前記制御部５は前記ＡＤＦ２が開放されていると判断し、処理をステップＳ５に移行させる。
【００４６】
［ステップＳ４］
ステップＳ４において、前記制御部５は、前記ステップＳ１で読み取られた前記色基準画像データにおける前記部分領域２７の濃度と前記色基準面２６の下地濃度との濃度差である第１の濃度差が予め設定された第１の閾値以下であるか否かを判断する。
【００４７】
例えば、前記制御部５は、前記色基準画像データにおける最高濃度及び最低濃度の濃度差を前記第１の濃度差として算出する。なお、前記複合機１０において前記色基準面２６における前記部分領域２７の位置は概ね既知であるため、前記制御部５が、前記部分領域２７に対応する画像データの平均値とその他の領域に対応する画像データの平均値との濃度差を前記第１の濃度差として算出することも考えられる。
【００４８】
ここで、前記第１の閾値は、前記ＡＤＦ２の開度を判断するための指標として予め設定された値である。例えば、前記第１の閾値は、前記ＡＤＦ２の開度が２０°である状態で読み取られた前記色基準画像データにおける前記部分領域２７の濃度と前記色基準面２６の下地濃度との濃度差として実験又はシミュレーションにより得られた値である。これにより、前記ステップＳ４において、前記制御部５は、前記ＡＤＦ２が２０°以上開かれることになるブック原稿が前記原稿載置面１１１に載置されているか否かを判断することができる。なお、前記ブック原稿であるか否かを判断するための前記ＡＤＦ２の開度は１０°又は３０°など、予め任意に決定すればよい。
【００４９】
そして、前記ステップＳ４において、前記第１の濃度差が前記第１の閾値以下であると判断すると（Ｓ４のＹｅｓ側）、前記制御部５は処理をステップＳ５に移行させる。一方、前記ステップＳ４において、前記第１の濃度差が前記第１の閾値より大きいと判断すると（Ｓ４のＮｏ側）、処理をステップＳ４１に移行させる。
【００５０】
ここに、図５は、前記ステップＳ１で読み取られた前記色基準画像データの一部を示す図である。具体的に、図５（Ａ）は前記ＡＤＦ２が閉じた状態、図５（Ｂ）は前記ＡＤＦ２が少し開いた状態、図５（Ｃ）は前記ＡＤＦ２が大きく開いた状態で読み取られた前記色基準画像データの一例である。
【００５１】
図５（Ａ）に示すように、前記ＡＤＦ２が閉じられた状態では、前記色基準画像データにおいて前記部分領域２７に対応する領域Ａ１と前記色基準面２６の下地に対応する領域Ａ２との間に生じる濃度差Ｄ１（第１の濃度差の一例）が大きい。一方、前記ＡＤＦ２が少し開かれると、図５（Ｂ）に示すように前記濃度差Ｄ１が小さくなり、さらに前記ＡＤＦ２が大きく開かれると、図５（Ｃ）に示すように前記濃度差Ｄ１がさらに小さくなる。そのため、前記制御部５は、前述したように前記濃度差Ｄ１の値が前記第１の閾値以下であるか否かを判断することにより前記ＡＤＦ２の開度を判断し、前記原稿載置面１１１に載置された原稿が厚みのあるブック原稿であるか否かを判定することが可能である。
【００５２】
このように、前記複合機１０では、前記色基準部２６の下地濃度と前記部分領域２７の濃度との濃度差である前記第１の濃度差をブック原稿であるか否かの判断指標として用いている。そのため、太陽光又は室内照明などの外乱光の影響を受ける使用環境であっても、その外乱光の影響を排除して前記ＡＤＦ２の開度を判断することが可能である。
【００５３】
［ステップＳ４１〜Ｓ４２］
前記第１の濃度差が前記第１の閾値より大きい場合、続くステップＳ４１において、前記制御部５は、前記原稿載置面１１１に載置された原稿がブック原稿ではないと判定する。そして、ステップＳ４２において、前記制御部５は、ブック原稿ではない通常原稿に対応する従来周知の画像処理を実行する。なお、前記画像処理は、例えば前記原稿画像データに対して行われるシェーディング補正及びガンマ補正などである。
【００５４】
［ステップＳ５］
一方、前記第１の濃度差が前記第１の閾値以下である場合、続くステップＳ５において、前記制御部５は、前記ステップＳ２で開始された前記原稿画像データの画像読取処理が終了するまで処理を待機させる（Ｓ５のＮｏ側）。そして、前記制御部５は、前記画像読取処理が終了すると（Ｓ５のＹｅｓ側）、処理をステップＳ６に移行させる。
【００５５】
［ステップＳ６］
ステップＳ６において、前記制御部５は、前記原稿画像データに基づいて、前記原稿画像データに予め設定された黒色の帯状画像が存在するか否かを判断する。例えば、前記制御部５は、前記原稿画像データを前記主走査方向７２の１ライン毎に平均化した平均化データを生成する。ここに、図６（Ａ）は、前記平均化データの一例を示す図である。図６（Ａ）に示すように、前記黒色の帯状画像を含む前記原稿画像データの平均化データでは、ブック原稿の中央部に対応する領域Ｄ２において、前記副走査方向７１に前記高濃度値以上のラインが連続する。そこで、前記制御部５は、前記平均化データにおいて予め設定された前記高濃度値以上のラインが所定数以上連続した場合に前記原稿画像データに黒色の帯状画像が存在すると判断することが可能である。
【００５６】
また、前記制御部５は、前記平均化データにおける前記領域Ｄ２の範囲として予め設定された特定範囲に、予め設定された前記高濃度値以上のラインが所定数以上存在する場合に黒色の帯状画像が存在すると判断することも可能である。具体的に、前記制御部５は、前記サイズ検出部１７によって検出される原稿サイズに応じて原稿の前記副走査方向７１の長さを判断することが可能である。その他、前記制御部５は、前記原稿画像データにおける前記副走査方向７１の端部の位置を検出することにより原稿の前記副走査方向７１の長さを判断することも可能である。そこで、前記特定範囲は、前記副走査方向７１における前記原稿の長さの中心から両側に予め設定されたライン数の範囲であることが考えられる。また、前記ステップＳ６における前記原稿画像データの平均化の対象は、前記原稿画像データの前記副走査方向７１における前記特定範囲のみであることも考えられる。この場合、前記制御部５は、前記特定範囲の前記原稿画像データが読み取られたときに、前記ステップＳ６の処理を前記画像読取処理と並行して実行することが考えられる。さらに、前記制御部５が、前記特定範囲を、前記サイズ検出部１７によって検出される原稿サイズに対応する用紙の前記副走査方向７１の長さに応じて狭い範囲又は広い範囲に変更することも考えられる。
【００５７】
そして、前記ステップＳ６において、前記原稿画像データに黒色の帯状画像が存在すると判断すると（Ｓ６のＹｅｓ側）、前記制御部５は処理をステップＳ７に移行させる。一方、前記ステップＳ６において、前記原稿画像データに黒色の帯状画像が存在しないと判断すると（Ｓ６のＮｏ側）、前記制御部５は処理を前記ステップＳ４１に移行させる。
【００５８】
［ステップＳ７］
ステップＳ７において、前記制御部５は、前記原稿載置面１１１に載置された原稿がブック原稿であると判定する。即ち、前記画像読取処理において、前記制御部５は、前記第１の濃度差が前記第１の閾値以下であり、且つ前記原稿画像データに黒色の帯状画像が存在する場合に、前記原稿載置面１１１に載置された原稿がブック原稿であると判定する。ここに、係る処理が原稿判定ステップに相当し、係る処理を実行するときの前記制御部５が原稿判定手段に相当する。
【００５９】
なお、前記制御部５が、前記ステップＳ６の処理を省略し、前記ステップＳ４で前記第１の濃度差が前記第１の閾値以下であると判断された場合に、原稿がブック原稿であると判定することも他の実施形態として考えられる。このような処理も原稿判定ステップの一例であり、係る処理を実行するときの前記制御部５も原稿判定手段の一例である。
【００６０】
［ステップＳ８］
そして、ステップＳ８において、前記制御部５は、前記ステップＳ４２と同様の通常の画像処理に加えて、ブック原稿に対応して予め設定されたブック原稿用の画像処理を実行する。具体的に、前記ステップＳ８において、前記制御部５は、前記原稿画像データの中央部の濃度を補正する濃度補正処理、及び前記原稿画像データの中央部の画像を所定方向に拡大する拡大補正処理を実行する。
【００６１】
［濃度補正処理及び拡大補正処理］
以下、図７のフローチャートを参照しつつ、前記ステップＳ８において前記制御部５が実行する濃度補正処理及び拡大補正処理の一例について説明する。ここに、ステップＳ８１、Ｓ８２、・・・は前記制御部５により実行される処理手順（ステップ）の識別番号を表している。
【００６２】
まず、図７に示すステップＳ８１〜Ｓ８４において、前記制御部５は、前記原稿画像データの中央部における特定の濃度補正範囲の濃度を補正することにより前記原稿画像データに生じている黒色の帯状画像の濃度を抑制する濃度補正処理を実行する。なお、前記濃度補正範囲は、前記複合機１０ごとに予め設定された範囲、前記複合機１０において前記画像読取部１で読み取られる原稿ごとに前記操作表示部６のユーザー操作に応じて設定される範囲、又は前記原稿のサイズなどに応じて前記制御部５により自動的に設定される範囲である。特に、以下で説明するように、前記制御部５は、前記ステップＳ１で読み取られた前記色基準面２６の濃度と、前記ＡＤＦ２が閉じられた状態で前記画像読取部１により読み取られる前記色基準面２６の濃度とに基づいて前記濃度補正範囲の濃度を補正する。ここに、前記濃度補正処理が濃度補正ステップに相当し、前記濃度補正処理を実行するときの前記制御部５が濃度補正手段に相当する。このように、前記複合機１０では、前記ＡＤＦ２の開度によって変化する前記色基準面２６の濃度に基づいて前記濃度補正範囲の濃度が補正されるため、前記ブック原稿の中央部に生じた浮き上がりの高さに応じて適切な補正を行うことが可能である。
【００６３】
＜ステップＳ８１＞
具体的に、ステップＳ８１において、前記制御部５は、前記画像読取部１により読み取られる前記色基準面２６の開閉時の濃度差である第２の濃度差を算出する。即ち、前記制御部５は、前記ステップＳ１で読み取られた前記色基準面２６の濃度と、前記ＡＤＦ２が閉じられた状態で前記画像読取部１により読み取られる前記色基準面２６の濃度との濃度差を前記第２の濃度差として算出する。例えば、前記ＡＤＦ２が閉じられた状態の前記色基準面２６の濃度は、予め前記ＡＤＦ２が閉じられた状態で前記画像読取部１により前記色基準面２６から読み取られ、前記制御部５のＥＥＰＲＯＭなどの記憶手段に予め記憶されていることが考えられる。なお、前記色基準面２６の濃度は、例えば前記部分領域２７の画像データを含む前記色基準画像データ全体の平均値である。また、前記色基準面２６の濃度は、前記色基準画像データのうち前記部分領域２７を除く前記色基準面２６の下地部分の一部又は全体の濃度の平均値であってもよい。
【００６４】
なお、前記制御部５は、前記複合機１０の電源投入時又はスリープ状態からの復帰時などに、前記ＡＤＦ２が閉じた状態で前記画像読取部１により前記色基準面２６の濃度を読み取って前記ＥＥＰＲＯＭなどの記憶手段に記憶させることが考えられる。このとき、前記制御部５は、前記ＡＤＦ２が閉じられているか否かを前記ＡＤＦ２の開閉を検知するマイクロスイッチ等（不図示）の検知結果に応じて判断することが考えられる。また、前記制御部５は、前記画像読取部１により読み取られた前記色基準画像データの濃度が、前記ＡＤＦ２が閉じられていることを検知する指標として予め設定された上限値以下である場合に前記ＡＤＦ２が閉じられていると判断することも考えられる。
【００６５】
＜ステップＳ８２＞
次に、ステップＳ８２において、前記制御部５は、前記原稿画像データの中央部における濃度補正範囲を設定する。具体的に、前記制御部５は、前記ステップＳ６で検出した前記黒色の帯状画像が形成された領域とその領域に隣接する外側の所定領域とを前記濃度補正範囲として設定する。前記所定領域は、前記ステップＳ６で検出された前記帯状画像よりも低い濃度の帯状画像が残っていると考えられる領域である。
【００６６】
例えば、前記ステップＳ６において、図６（Ａ）に示すラインｔ０を中心としてラインｔ１からラインｔ２の間の濃度が予め設定された前記高濃度値以上であると判定された場合を考える。この場合、前記制御部５は、前記ラインｔ１から前記ラインｔ２の領域と、前記ラインｔ１から所定量外側のラインｔ３までの領域及び前記ラインｔ２から所定量外側のラインｔ４までの領域とを前記濃度補正範囲として設定することが考えられる。前記所定量は、例えば前記中央部の黒色の帯状画像が残存する可能性のある領域として予め実験又はシミュレーションの結果に基づいて予め設定されていることが考えられる。なお、前記濃度補正範囲が、予め設定された一定値であってもよい。
【００６７】
さらに、前記制御部５が、前記第１の濃度差又は前記第２の濃度差に応じて前記濃度補正範囲を変更することも考えられる。具体的に、前記制御部５は、前記第１の濃度差又は前記第２の濃度差が大きく前記ＡＤＦ２の開度が大きいほど前記濃度補正範囲が広くなり、前記第１の濃度差又は前記第２の濃度差が小さく前記ＡＤＦ２の開度が小さいほど前記濃度補正範囲が狭くなるように前記濃度補正範囲を変更することが考えられる。
【００６８】
＜ステップＳ８３＞
続いて、ステップＳ８３において、前記制御部５は、前記ステップＳ８２で設定された前記濃度補正範囲に含まれる画像データのうち、予め設定された第２の閾値以下の画像データのみを補正対象として設定する。なお、前記制御部５は、前記ステップＳ８１で算出した前記第２の濃度差を前記第２の閾値として設定することが考えられる。これにより、前記ＡＤＦ２の開度に応じて前記第２の閾値を適切に変更することが可能となる。なお、前記第２の閾値は、前記第２の濃度差以上であって予め設定された上限値以下の値であってもよい。例えば、前記制御部５は、実験又はシミュレーションなどの結果に基づいて予め設定された加算値を前記第２の濃度差に加算した値を前記第２の閾値として設定することが考えられる。
【００６９】
また、前記ブック原稿の中央部では、前記副走査方向７１において中心から外側に離れるほど浮き上がり量が小さくなるため、前記原稿画像データにおける前記浮き上がりに起因して生じる帯状画像の濃度も低くなる。そこで、前記制御部５は、前記原稿画像データの中央部の中心から離れるに従って補正対象であるか否かを判断するための指標となる前記第２の閾値を下げることが考えられる。即ち、前記制御部５は、前記濃度補正範囲において内側よりも外側の方が低い前記第２の閾値を判断指標として補正対象の画像データであるか否かを判断する。これにより、ブック原稿に存在する元の画像に対応する画像データを濃度補正の対象から除外する精度が高まる。
【００７０】
＜ステップＳ８４＞
そして、ステップＳ８４において、前記制御部５は、前記第２の濃度差に基づいて前記濃度補正範囲の画像データを補正する濃度補正を実行する。具体的に、前記制御部５は、前記濃度補正範囲のうち前記ステップＳ８３で設定された補正対象の画像データの濃度を下記の（１）式に従って補正する。ここでは、前記濃度補正範囲の中心を原点としたときの補正対象箇所のライン数をｎ、前記ライン数ｎの補正前の画像データをＹ（ｎ）、前記ライン数ｎの補正後の画像データをＹ（ｎ’）、前記第２の濃度差をＡ、前記補正対象範囲に含まれる総ライン数をＮとする。なお、本実施形態において、前記画像データの濃度は白の値が「０」であり黒の値が「２５５」であるとする。また、下記の（１）式において、前記第２の濃度差であるＡに対して、前記第２の濃度差と前記黒色の帯状画像の濃度との関係を示す予め設定された定数ａを乗じることも他の実施形態として考えられる。
【００７１】
Ｙ（ｎ’）＝Ｙ（ｎ）−Ａ×（Ｎ−｜ｎ｜）／Ｎ  ・・・（１）
【００７２】
これにより、前記原稿画像データでは、前記黒色の帯状画像の濃度が抑制されて白色に近づくため前記黒色の帯状画像が目立たなくなる。特に、前記制御部５は、前記中央部の画像データの補正量を「Ａ×（Ｎ−｜ｎ｜）／Ｎ」に従って算出する。そのため、前記制御部５は、前記濃度補正範囲の画像データに対する濃度の補正量を前記濃度補正範囲の中心から離れるに従って徐々に減少させるように前記補正対象データを補正することになる。換言すれば、前記制御部５は、前記濃度補正範囲の画像データに対する濃度の補正量を前記濃度補正範囲の中心に近いほど徐々に増加させる。即ち、前記制御部５は、前記濃度補正範囲において内側よりも外側の方が少ない補正量で画像データを補正する。従って、前記中央部の中心に近いほど濃度が濃くなる前記黒色の帯状画像の濃度をその位置に応じて効果的に抑制することができる。また、前記濃度補正範囲における画像データのうち濃度が前記第２の閾値以下の画像データについては濃度補正が実行されないため、前記ブック原稿の中央部に存在する元の画像を残すことができる。なお、前記複合機１０において、前記画像データの濃度が白の値が「２５５」、黒の値が「０」である場合には、下記の（１１）式を用いればよい。
【００７３】
Ｙ（ｎ’）＝Ｙ（ｎ）＋Ａ×（Ｎ−｜ｎ｜）／Ｎ  ・・・（１１）
【００７４】
ここに、図６（Ｂ）は、前記ステップＳ８４における濃度補正の実行結果の一例を示す図である。図６（Ｂ）に示すように、前記濃度補正処理後の前記原稿画像データでは、前記原稿画像データの前記領域Ｄ２における前記黒色の帯状画像Ｄ２１の濃度が抑制されている。また、前記濃度補正範囲における補正対象が前記ステップＳ８３で限定されているため、前記濃度補正処理後の前記原稿画像データでは、ブック原稿に存在する元の画像に対応する画像データが消去されずに残っている。
【００７５】
なお、前記黒色の帯状画像が全て消去されると、前記ブック原稿に含まれた見開きページの境界が不明になる。そのため前記制御部５が前記黒色の帯状画像を消去する際に、前記原稿画像データの中央部の中心（ライン数ｎ＝０の位置）に境界線が残るように、前記中心の画像データを補正対象から除外することも考えられる。これにより、補正後においても前記原稿画像データにおける見開きページの境界が明確となる。
【００７６】
ところで、本実施の形態では、前記原稿画像データの中心位置から離れるに従って前記黒色の帯状画像の濃度が線形に低下する場合を例に挙げて説明するため、前記（１）式において濃度補正の補正量は線形に変化する。一方、前記ブック原稿の中央部の浮き上がり部が曲線を描いており、前記原稿画像データの中央から離れるに従って前記黒色の帯状画像の濃度が曲線を描いて低下することが考えられる。このとき、前記曲線は、例えば指数関数又は対数関数に従って形成される曲線に近似することが考えられる。そこで、前記制御部５は、前記ステップＳ８４における前記濃度補正の補正量を予め設定された指数関数又は対数関数に基づいて変化させることも考えられる。即ち、前記制御部５は、前記中央部の中心から離れるに従って前記補正量が指数関数又は対数関数に基づいて少なくなるように前記濃度補正範囲の濃度を補正することが考えられる。なお、前記指数関数又は前記対数関数は、例えば予め行われる実験又はシミュレーションで得られた結果に基づいて設定しておけばよい。
【００７７】
このように、前記複合機１０では、前記制御部５が、前記画像読取部１で読み取られる画像データに基づいて、前記原稿載置面１１１に載置された原稿がブック原稿であるか否かを判定する。そして、前記原稿載置面１１１に載置された原稿がブック原稿であると判定した場合、前記制御部５は、前記ＡＤＦ２の開度の指標となり前記ブック原稿の中央部における浮き上がりの高さの指標にもなる前記第２の濃度差に基づいて濃度補正処理を実行する。従って、前記複合機１０では、前記原稿がブック原稿であるか否かを判断するため、及び前記ブック原稿の中央部における浮き上がりの高さ等を検出するために特別なセンサー等を備える必要がない。これにより、前記複合機１０の部品点数及びコストを省減することができる。
【００７８】
＜ステップＳ８５＞
さらに、前記制御部５は、続くステップＳ８５〜Ｓ８７において、前記原稿画像データの中央部における特定の拡大補正範囲の画像を前記第２の濃度差に基づいて拡大する拡大補正処理を実行する。ここに、前記拡大補正処理を実行するときの前記制御部５が拡大補正手段に相当する。なお、前記拡大補正範囲は、前記複合機１０ごとに予め設定された範囲、前記複合機１０において前記画像読取部１で読み取られる原稿ごとに前記操作表示部６のユーザー操作に応じて設定される範囲、又は前記原稿のサイズなどに応じて前記制御部５により自動的に設定される範囲である。
【００７９】
まず、ステップＳ８５において、前記制御部５は、前記原稿載置面１１１に載置されたブック原稿の中央部における浮き上がりの高さを前記第２の濃度差に基づいて推定する。ここに、前記ステップＳ８５を実行するときの前記制御部５が高さ推定手段に相当する。具体的に、前記ＡＤＦ２の開度は前記第２の濃度差に基づいて推定可能であり、前記原稿載置面１１１に載置されたブック原稿の中央部における浮き上がりの高さは前記ＡＤＦ２の開度に基づいて推定可能である。従って、前記浮き上がりの高さは、前記第２の濃度差に基づいて推定可能である。そこで、例えば、前記制御部５は、前記第２の濃度差と前記ブック原稿の中央部の浮き上がりにおける高さとの関係が予め設定された所定の算出式に前記第２の濃度差を代入することにより前記ブック原稿の中央部における浮き上がりの高さを算出することが可能である。なお、前記所定の算出式は、予め行われる実験又はシミュレーションによって得られる前記ＡＤＦ２の開度の変化と前記第２の濃度差の変化との対応関係に基づいて予め設定すればよい。また、前記制御部５は、前記第１の濃度差に基づいて前記原稿載置面１１１に載置されたブック原稿の中央部における浮き上がりの高さを推定することも考えられる。
【００８０】
＜ステップＳ８６＞
次にステップＳ８６において、前記制御部５は、前記ステップＳ８５で前記第２の濃度差に基づいて推定した前記ブック原稿の浮き上がりの高さに応じて前記原稿画像データの中央部における拡大補正範囲を設定する。即ち、前記制御部５は、前記第２の濃度差に基づいて前記拡大補正範囲を設定する。
【００８１】
ここに、図８（Ａ）は前記ブック原稿Ｐ１の前記副走査方向７１における本来の長さＬ０を模式的に示した図、図８（Ｂ）は前記ブック原稿Ｐ１の前記副走査方向７１における実際の長さＬ１を示す図である。図８（Ｂ）に示すように、前記ブック原稿Ｐ１には、前記原稿載置面１１１に載置されたときに前記中央部Ｐ２に浮き上がりが生じる。そのため、前記ブック原稿Ｐ１の見開きページにおける前記画像読取部１による画像データの読取対象となる前記副走査方向７１の長さＬ１は、前記原稿Ｐ１の見開きページの本来の長さＬ０に比べて全体として長さＬ２だけ短くなる。
【００８２】
ここで、前記制御部５は、前記ブック原稿Ｐ１の見開きページの本来の長さＬ０を、前記サイズ検出部１７による検出結果に基づいて特定することが可能である。例えば、前記サイズ検出部１７の前記光学センサー１７４により原稿が検知され、前記光学センサー１７５により原稿が検知されていない場合、前記制御部５は、前記ブック原稿Ｐ１が前記光学センサー１７４に対応するＡ４横サイズであると判断する。そして、前記制御部５は、前記Ａ４横サイズに対応する前記副走査方向７１の長さを前記ブック原稿Ｐ１の前記副走査方向７１の本来の長さＬ０であると特定する。なお、前記サイズ検出部１７を用いた自動サイズ検出手法に限らず、例えば前記操作表示部６に対してユーザーにより前記ブック原稿Ｐ１のサイズが設定されている場合には、前記制御部５は、その設定されたサイズに対応する前記副走査方向７１の長さを前記ブック原稿Ｐ１の前記副走査方向７１の本来の長さＬ０であると特定する。また、前記制御部５が、予め設定された複数の用紙サイズ（Ａ４、Ａ５及びＢ５など）のうち、前記原稿画像データに対応するサイズ以上でそのサイズに最も近い用紙サイズを前記ブック原稿Ｐ１の本来の用紙サイズとして判断してもよい。
【００８３】
一方、前記制御部５は、前記ブック原稿Ｐ１における前記副走査方向７１の長さＬ１を、前記原稿画像データに基づいて前記副走査方向７１の端部を検出することにより特定することが可能である。例えば、前記ブック原稿Ｐ１が前記原稿載置面１１１に載置されている場合、前記原稿画像データには、前記ブック原稿Ｐ１の前記副走査方向７１の外側に複数のライン画像が含まれる。そのため、前記制御部５は、前記ライン画像の最も内側のラインの位置を前記ブック原稿Ｐ１の端部として検出することが考えられる。なお、前記原稿画像データにおける原稿の端部の検出手法は各種の従来技術を利用することが可能である。そして、前記制御部５は、前記長さＬ１と前記長さＬ０との差分を算出することにより、前記ブック原稿Ｐ１の縮小幅に相当する前記長さＬ２を取得する。ここに、前記取得処理を実行するときの前記制御部５が差分取得手段に相当する。
【００８４】
ここで、図８（Ｂ）に示すように、前記ステップＳ８５で推定された前記ブック原稿Ｐ１の前記中央部Ｐ２における浮き上がりの高さをＨ、前記中央部Ｐ２に浮き上がりにより形成された三角形の空間の斜辺の長さをｘ、底辺の半分の長さをｙとすると、以下の（２）、（３）式が成立する。
【００８５】
ｘ−ｙ＝（Ｌ２／２）  ・・・（２）
【００８６】
Ｈ２＋ｙ２＝ｘ２        ・・・（３）
【００８７】
そして、前記（２）式及び前記（３）式から下記の（４）式及び（５）式が導かれる。
【００８８】
ｘ＝（Ｈ２＋（Ｌ２／２）２）／Ｌ２  ・・・（４）
【００８９】
ｙ＝（Ｈ２−（Ｌ２／２）２）／Ｌ２  ・・・（５）
【００９０】
即ち、前記中央部Ｐ２の浮き上がりにより形成される空間における斜辺の長さｘ及び底辺の半分の長さｙは、前記ブック原稿Ｐ１の前記中央部Ｐ２における浮き上がりの高さＨ及び前記ブック原稿Ｐ１の縮小幅である前記長さＬ２に基づいて算出可能である。前記ブック原稿Ｐ１から読み取られた前記原稿画像データでは、前記副走査方向７１において前記長さＬ１の中心から両側の長さｙの領域を含む範囲（２・ｙ）が、本来の長さ２・ｘよりも２・（ｘ−ｙ）の長さの分だけ縮小された領域である。そこで、前記制御部５は、前記ステップＳ８６において、前記長さＬ１の中心を原点として両側に前記長さｙの範囲を拡大補正の対象となる前記拡大補正範囲として設定する。
【００９１】
なお、前記ブック原稿の中央部における浮き上がりの中心がずれていることも考えられる。そのため、例えば前記制御部５が、前記ブック原稿Ｐ１の中央部に生じる黒色の帯状画像において最も濃度が高いラインを原点としてその両側の長さｙの範囲を前記拡大補正範囲として設定することも考えられる。また、前記制御部５が、前記黒色の帯状画像において最も濃度が高いラインの位置と前記ブック原稿の長さＬ１の中心との前記副走査方向７１におけるずれ量に応じて、前記拡大補正範囲として設定される前記ラインの両側の長さを異なる長さに設定することも考えられる。
【００９２】
＜ステップＳ８７＞
そして、ステップＳ８７において、前記制御部５は、前記拡大補正範囲の画像の拡大率を導出し、その導出された前記拡大率に基づいて前記原稿画像データのうち前記拡大補正範囲の画像を拡大する拡大補正を実行する。
【００９３】
具体的に、図８（Ｂ）に示した例では、前記原稿画像データにおいて、前記ブック原稿Ｐ１における長さ２・ｘの範囲の画像が長さ２・ｙの画像に縮小される。即ち、前記ブック原稿Ｐ１における長さ２・ｘの範囲の画像はｙ／ｘ倍の縮小率で縮小されることになる。そこで、前記制御部５は、前記ステップＳ８７において、前記拡大補正範囲の画像の拡大率をｘ／ｙに設定する。このように、前記ブック原稿Ｐ１の前記中央部Ｐ２における浮き上がりの高さＨ及び前記ブック原稿Ｐ１の縮小幅である前記長さＬ２に基づいて前記中央部Ｐ２の画像の拡大率を設定するときの前記制御部５が拡大率設定手段に相当する。その後、前記制御部５は、前記拡大率として設定されたｘ／ｙで前記拡大補正範囲の画像を前記副走査方向７１に拡大させる。これにより、前記拡大補正範囲では、長さ２・ｙの画像が長さ２・ｘの画像に拡大されて、縮小により生じていた歪みが補正される。なお、前記制御部５は、１ライン毎又は複数ライン毎に前記画像データを拡大させる。
【００９４】
ところで、前記ブック原稿Ｐ１の前記中央部Ｐ２で生じる浮き上がりの斜面形状が線形であれば、前記拡大補正範囲全域が一律に前記拡大率ｘ／ｙで拡大されることが望ましい。一方、前述したように、前記ブック原稿Ｐ１の前記中央部Ｐ２で生じる浮き上がりの斜面形状が指数関数又は対数関数などに基づく曲線に近似することが考えられる。特に、前記中央部Ｐ２の中心に近づくほど前記曲線の傾きは急になることが多い。そこで、前記制御部５は、前記拡大補正範囲における画像の拡大率が、前記拡大補正範囲の前記副走査方向７１における中心に近いほど大きくなるように前記拡大率を変化することが考えられる。より具体的に、前記制御部５は、前記副走査方向７１において前記中央部Ｐ２の中心に近いほど拡大率が大きくなると共に、前記拡大補正範囲の拡大率の平均がｘ／ｙになるように予め設定された指数関数又は対数関数を含む算出式に基づいて前記拡大補正範囲の画像データを拡大させることが考えられる。
【００９５】
ここに、図９は、前記原稿画像データＲ１（図３参照）について前記濃度補正処理及び前記拡大補正処理が実行された場合の結果の一例を示す図である。図９に示す補正後の前記原稿画像データＲ１１における帯状画像Ｒ１２は、前記濃度補正処理の実行前の前記原稿画像データＲ１における前記帯状画像Ｒ２に比べて濃度が抑制されている。また、図９に示す補正後の前記原稿画像データＲ１１における文字画像Ｒ１３は、前記拡大補正処理の実行前の前記原稿画像データＲ１における前記文字画像Ｒ３に比べて前記副走査方向７１に拡大されており歪みが抑制されている。特に、前記濃度補正処理及び前記拡大補正処理が最も適切に行われた場合には、前記帯状画像Ｒ１２が消去され、前記文字画像Ｒ１３は元の文字画像のサイズまで復元される。
【００９６】
なお、本実施の形態では、ブック原稿の中央部の浮き上がり部により形成される黒色の帯状画像が前記主走査方向７２と平行に形成される場合を例に挙げて説明した。一方、図２に示す前記ブック原稿Ｐ１が９０度回転された状態で前記原稿載置面１１１に載置されると、黒色の帯状画像が前記副走査方向７１と平行に形成され、中央部の画像が前記主走査方向７２に縮小される。本発明は、このような場合にも同様に適用可能である。より具体的に、前記制御部５は、前記ステップＳ６において、前記副走査方向７１及び前記主走査方向７２各々について前記黒色の帯状画像の有無を判断する。そして、前記制御部５は、前記黒色の帯状画像が検出された方向に従って、前記ステップＳ８の画像処理における前記濃度補正処理及び前記拡大補正処理を前記副走査方向７１又は前記主走査方向７２において実行することが考えられる。これにより、前記黒色の帯状画像が前記副走査方向７１と平行である場合、前記濃度補正処理では、前記副走査方向７１に平行に延びる帯状画像の濃度が抑制され、前記拡大補正処理では、前記原稿画像データの中央部が前記主走査方向７２に拡大される。
【符号の説明】
【００９７】
１  ：画像読取部（原稿読取手段の一例）
２  ：ＡＤＦ（原稿搬送部の一例）
３  ：画像形成部（画像形成手段の一例）
４  ：給紙カセット
５  ：制御部
６  ：操作表示部
１０：複合機（画像読取装置、画像形成装置の一例）
１１：原稿台
１１１：原稿載置面
１１２：搬送読取面
１２：読取ユニット
１３、１４：ミラー
１５：光学レンズ
１６：ＣＣＤ
１７：サイズ検出部
２１：原稿セット部
２２：搬送ローラー
２３：原稿押さえ
２３Ａ、２３Ｂ：開口
２４：排紙部
２５、２６：色基準面
２７：部分領域
７１：副走査方向
７２：主走査方向
Ｐ１：ブック原稿
Ｐ２：中央部
Ｒ１、Ｒ１１：原稿画像データ
Ｒ２、Ｒ１２：帯状画像
Ｒ３、Ｒ１３：文字画像
Ｓ１、Ｓ２、・・・：処理手順（ステップ）番号
Ｓ８１、Ｓ８２、・・・：処理手順（ステップ）番号
【図１】
0005940023.tif 000002
【図２】
0005940023.tif 000003
【図４】
0005940023.tif 000004
【図５】
0005940023.tif 000005
【図６】
0005940023.tif 000006
【図７】
0005940023.tif 000007
【図８】
0005940023.tif 000008
【図３】
0005940023.tif 000009
【図９】
0005940023.tif 000010